(57)【要約】【課題】簡便にフィルムを便座装置に装着することが可能なフィルム密封装置、フィルム装着方法およびそれらに用いるフィルム梱包体を提供する。【解決手段】フィルム密封装置は、フィルムＦの送り方向に直交する方向のフィルムＦの２つの端縁をそれぞれ挟んで下方へと送る２対のローラ１０１を備える。ジグＳ１は、２対のローラ１０１に橋架可能な形状を有する。ジグＳ１が２対のローラ１０１に橋架されるようにしてフィルムＦの上面に設置される。こうしてジグＳ１を設置した状態で、フィルムＦが下方に送られる方向に２対のローラ１０１が駆動される。ジグＳ１によりフィルムＦがローラ１０１に押し付けられるため、フィルムＦとローラ１０１の間に摩擦力が生じ、フィルムＦが一対のローラ１０１間に挟まれる。こうして、フィルムＦを送るだけで、フィルムＦをローラ１０１に容易に装着することができる。【選択図】図１４
2016185818.tif 000002
【特許請求の範囲】
【請求項１】
フィルムにより収容物を密封するフィルム密封装置において、
開口を有し、前記開口周囲の上側に未使用のフィルムが設置されるベースと、
前記ベースに支持され、前記フィルムを前記開口から下方へと送るフィルム送り部と、
前記フィルム送り部に前記フィルムを取り付ける際に用いられる押圧部材と、を備え、
前記フィルム送り部は、前記フィルムの送り方向に直交する方向の前記フィルムの２つの端縁をそれぞれ挟んで下方へと送る２対のローラを備え、
前記押圧部材は、前記２対のローラに橋架可能な形状を有する、
ことを特徴とするフィルム密封装置。
【請求項２】
請求項１に記載のフィルム密封装置において、
前記ベースには、前記２対のローラの上方を開放するとともに、前記押圧部材の形状に沿った案内部が形成されている、
ことを特徴とするフィルム密封装置。
【請求項３】
請求項１または２に記載のフィルム密封装置において、
前記押圧部材は、断面が円形の棒状の部材である、
ことを特徴とするフィルム密封装置。
【請求項４】
請求項１ないし３の何れか一項に記載のフィルム密封装置において、
前記フィルムは端部が閉じられており、
前記押圧部材は、閉じられた端部を前記ローラに押し当てる、
ことを特徴とするフィルム密封装置。
【請求項５】
フィルムにより収容物を密封するフィルム密封装置に押圧部材を用いて前記フィルムを取り付けるフィルム装着方法であって、
前記フィルム密封装置は、フィルムの送り方向に直交する方向の前記フィルムの２つの端縁をそれぞれ挟んで下方へと送る２対のローラを備え、
前記押圧部材は、前記２対のローラに橋架可能な形状を有し、
前記押圧部材が前記２対のローラに橋架されるようにして前記押圧部材を前記フィルムの上面に設置する工程と、
前記押圧部材を設置した状態で、前記フィルムが下方に送られる方向に前記２対のローラを駆動する工程と、を有する、
ことを特徴とするフィルム装着方法。
【請求項６】
所定方向に折り畳まれてコンパクト化されたフィルムと、
請求項１ないし４の何れか一項に記載の押圧部材と、を同梱してなるフィルム梱包体。
【発明の詳細な説明】
【技術分野】
【０００１】
本発明は、樹脂製のフィルムにより収容物を密封するフィルム密封装置、当該フィルム密封装置にフィルムを取り付けるためのフィルム装着方法およびそれらに用いるフィルム梱包体に関する。
【背景技術】
【０００２】
従来、筒状フィルムの上下を溶着して排泄物や汚物等を密封する便座装置が知られている（たとえば、特許文献１）。この種の便座装置では、排泄物や汚物等が通る通路にフィルムが配され、所定の送り機構によって、フィルムが下方に送られる。筒状フィルムは、たとえば、上記通路の外側のスペースに折りたたまれて収容される。
【先行技術文献】
【特許文献】
【０００３】
【特許文献１】特開２００９−２８６４０９号公報
【発明の概要】
【発明が解決しようとする課題】
【０００４】
上記構成の便座装置では、フィルムが消耗品となる。フィルムが使い尽されると、使用者は、新たなフィルムを便座装置に装着する必要がある。この際、フィルムの装着は、なるべく簡便であることが望ましい。
【０００５】
上記課題に鑑み、本発明は、簡便にフィルムを便座装置に装着することが可能なフィルム密封装置、フィルム装着方法およびそれらに用いるフィルム梱包体を提供することを目的とする。
【課題を解決するための手段】
【０００６】
本発明の第１の態様は、フィルム密封装置に関する。本態様に係るフィルム密封装置は、開口を有し、前記開口周囲の上側に未使用のフィルムが設置されるベースと、前記ベースに支持され、前記フィルムを前記開口から下方へと送るフィルム送り部と、前記フィルム送り部に前記フィルムを取り付ける際に用いられる押圧部材と、を備える。前記フィルム送り部は、前記フィルムの送り方向に直交する方向の前記フィルムの２つの端縁をそれぞれ挟んで下方へと送る２対のローラを備える。また、前記押圧部材は、前記２対のローラに橋架可能な形状を有する。
【０００７】
本態様に係るフィルム密封装置によれば、押圧部材が２対のローラに橋架されるようにしてフィルムの上面に載せられることにより、フィルムがローラに押し付けられる。これによりフィルムとローラの間に摩擦力が生じるため、フィルム送り部によりフィルムを送るだけで、フィルムをローラに容易にセットすることができる。
【０００８】
本発明の第２の態様は、フィルムにより収容物を密封するフィルム密封装置に押圧部材を用いて前記フィルムを取り付けるフィルム装着方法に関する。ここで、前記フィルム密封装置は、フィルムの送り方向に直交する方向の前記フィルムの２つの端縁をそれぞれ挟んで下方へと送る２対のローラを備え、前記押圧部材は、前記２対のローラに橋架可能な形状を有する。本態様に係るフィルム装着装置は、前記押圧部材が前記２対のローラに橋架されるようにして前記押圧部材を前記フィルムの上面に設置する工程と、前記押圧部材を設置した状態で、前記フィルムが下方に送られる方向に前記２対のローラを駆動する工程と、を有する。
【０００９】
本態様に係るフィルム装着方法によれば、第１の態様と同様の効果が奏され得る。
【００１０】
本発明の第３の態様は、フィルム梱包体に関する。本態様に係るフィルム梱包体は、所定方向に折り畳まれてコンパクト化されたフィルムと、第１の態様に係る押圧部材と、を同梱してなる。
【００１１】
本態様に係るフィルム梱包体を用いることにより、第１の態様と同様の効果が奏され得る。
【発明の効果】
【００１２】
以上のとおり、本発明によれば、簡便にフィルムを便座装置に装着することが可能なフィルム密封装置、フィルム装着方法およびそれらに用いるフィルム梱包体を提供することができる。
【００１３】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１４】
【図１】実施の形態に係るフィルム保持体とフィルムを示す斜視図である。
【図２】実施の形態に係るフィルム保持体の構成を示す斜視図、および断面図である。
【図３】実施の形態に係るメカ構成と支持体の構成を示す斜視図である。
【図４】実施の形態に係る便座装置の組み立て過程を示す斜視図である。
【図５】実施の形態に係る便座装置の組み立て過程を示す斜視図である。
【図６】実施の形態に係る排泄処理時におけるフィルムユニットの動作を説明する図である。
【図７】実施の形態に係る排泄処理時におけるフィルムユニットの動作を説明する図である。
【図８】実施の形態に係る排泄処理時におけるフィルムユニットの動作を説明する図である。
【図９】フィルムＦを梱包した梱包体Ｂの外観を示す図である。
【図１０】実施の形態に係るフィルム保持体の装着過程を示す図である。
【図１１】実施の形態に係るフィルム保持体の装着過程を示す図である。
【図１２】実施の形態に係る便座装置の構成を示す断面図である。
【図１３】実施の形態に係るローラとジグの構成を示す図である。
【図１４】実施の形態に係るローラとジグの構成を示す図である。
【図１５】実施の形態に係るローラとジグの構成を示す図である。
【図１６】変更例に係るローラとジグの構成を示す図である。
【発明を実施するための形態】
【００１５】
以下、本発明の実施の形態につき図面を参照して説明する。本実施の形態の説明において参照する図面には、便宜上、互いに直交するＸ、Ｙ、Ｚ軸が示されている。Ｘ−Ｙ平面は、水平面に平行で、Ｚ軸方向は鉛直方向である。
【００１６】
図１（ａ）は、フィルム保持体ＨとフィルムＦの構成を示す分解斜視図、図１（ｂ）はフィルム保持体ＨとフィルムＦの構成を示す斜視図である。
【００１７】
フィルム保持体Ｈは、上枠Ｈ１と、下枠Ｈ２を有する。
【００１８】
フィルムＦは、不透明な樹脂製の筒状フィルムであり、外周方向に予め折り畳まれている。上枠Ｈ１と下枠Ｈ２は、平面視において、略楕円の形状を有する。上枠Ｈ１には、略楕円形状の開口Ｈ１ａが形成されている。上枠Ｈ１は、略鉛直に延びる筒部Ｈ１ｂと、筒部Ｈ１ｂの上端から外側に延びる鍔部Ｈ１ｃを備える。また、筒部Ｈ１ｂの下端には、内側に延びる鍔部Ｈ１ｄが形成されている。
【００１９】
下枠Ｈ２には、略楕円形状の開口Ｈ２ａが形成されている。下枠Ｈ２は、略鉛直に延びる筒部Ｈ２ｂと、筒部Ｈ２ｂの下端から外側に延びる鍔部Ｈ２ｃを備える。筒部Ｈ２ｂの上端には、内側に延びる鍔部Ｈ２ｄが形成されている。鍔部Ｈ２ｃのＺ軸負側の面には、凹部Ｈ２ｅが形成されている。
【００２０】
フィルム保持体Ｈの組立時には、フィルムＦを上下から挟むようにして、上枠Ｈ１の筒部Ｈ１ｂと、下枠Ｈ２の筒部Ｈ２ｂがフィルムＦ内に通される。フィルムＦ内で、上枠Ｈ１の鍔部Ｈ１ｄと、下枠Ｈ２の鍔部Ｈ２ｄが合わされる。この状態で、上枠Ｈ１の鍔部Ｈ１ｄと下枠Ｈ２の鍔部Ｈ２ｄが熱溶着される。これにより、フィルムＦと上枠Ｈ１と下枠Ｈ２が一体化される。
【００２１】
図２（ａ）は、上枠Ｈ１と下枠Ｈ２が一体化されたフィルム保持体Ｈの構成を示す斜視図である。図２（ｂ）は、図２（ａ）に示すフィルム保持体ＨをＹ軸方向中央位置でＸ−Ｚ平面に平行な平面で切断した断面をＹ軸正方向に見た断面図である。なお、図２（ａ）、（ｂ）において、フィルムＦは、便宜上、図示省略されている。
【００２２】
図２（ａ）を参照して、上枠Ｈ１の鍔部Ｈ１ｃと筒部Ｈ１ｂの間には、傾斜部Ｈ１ｅ、Ｈ１ｆと、壁部Ｈ１ｇが形成されている。図２（ｂ）に示すように、傾斜部Ｈ１ｅ、Ｈ１ｆは、上部が広がるように傾いており、壁部Ｈ１ｇは、Ｚ軸方向に略平行となっている。傾斜部Ｈ１ｆは、傾斜部Ｈ１ｅよりも傾斜角度が大きい。壁部Ｈ１ｇは、Ｚ軸方向にある程度の幅を有している。上枠Ｈ１の鍔部Ｈ１ｃと、下枠Ｈ２の鍔部Ｈ２ｃの間には、所定の隙間が形成されている。この隙間に図１に示すフィルムＦが装着される。上枠Ｈ１の筒部Ｈ１ｂと下枠Ｈ２の筒部Ｈ２ｂの外周にフィルムＦが装着された状態で、フィルムＦのＺ軸正側の端縁が所定量だけ上方向に引き出され、開口Ｈ１ａ、開口Ｈ２ａに下方向に通される。こうして、図１（ｂ）に示すようにフィルム保持体ＨにフィルムＦがセットされる。
【００２３】
図３は、便座装置のメカ構成体１０と支持体２０の構成を示す斜視図である。
【００２４】
メカ構成体１０は、ベース１１と、機構部１２と、ガイド１３を備えている。ベース１１には、水平面に平行な上面１１ａと、ベース１１を上下方向に貫通する開口１１ｂと、Ｚ軸正側に突出する複数の凸部１１ｃが設けられている。開口１１ｂのＹ軸方向の中央には、開口１１ｂをＸ軸方向に広げる案内部１１ｄが形成されている。機構部１２は、ベース１１の下面側に設置されており、ベース１１に設置された回路基板（図示せず）と接続されている。ガイド１３は、上面が水平面に対して傾いた状態となるよう、ベース１１の下面側に設置されている。
【００２５】
図３に示すように、支持体２０には、凹部２０ａが形成され、凹部２０ａの底面には、開口２０ｂが形成されている。支持体２０の上面には、孔２０ｃが形成されている。支持体２０の前面（Ｙ軸負側）には、メカ構成体１０を動作させるためのスイッチ２１が設置されている。メカ構成体１０は、凹部２０ａに嵌め込まれるように支持体２０に設置される。そして、スイッチ２１が、メカ構成体１０の回路基板と接続される。
【００２６】
こうして、メカ構成体１０が設置された後、図４に示すように、メカ構成体１０を覆うようにして、支持体２０に、座面枠３１が設置され、さらに、便座３５が設置される。座面枠３１は、水平部３１ａの後部に背面部３１ｂが一体的に形成された構成となっている。便座３５は、水平部３１ａに形成された凹部に嵌め込まれる。鍔部３２ａが座面枠３１の背面部３１ｂに掛けられることにより、背もたれ３２が設置される。さらに、ひじ掛け３３、３４下面の軸（図示せず）が支持体２０の孔２０ｃ（図３参照）に挿入されることにより、ひじ掛け３３、３４が支持体２０に設置される。便座３５の開口３５ａを覆うようにしてカバー３６が設置される。こうして、便座装置１が組み立てられる。
【００２７】
便座装置１の使用時には、図５に示すように、便座３５とカバー３６が取り外され、図１（ｂ）に示すフィルム保持体ＨとフィルムＦがメカ構成体１０上にセットされる。その後、メカ構成体１０の機構部１２にフィルムＦの端部が装着される。
【００２８】
図６（ａ）〜図８は、排泄処理時における機構部１２の動作を説明する図である。図６（ａ）〜図８は、フィルム保持体Ｈとメカ構成体１０をＹ−Ｚ平面に平行な面で切断した断面図である。破線は、Ｘ軸正側の２つのローラ１０１に挟まれた状態のフィルムＦを示している。
【００２９】
図６（ａ）を参照して、機構部１２は、フィルム送り機構１００と、シール機構２００を備えている。
【００３０】
フィルム送り機構１００は、ローラ１０１とローラ１０１を駆動させるための駆動機構を備える。駆動機構は、モータと伝達ギアを含む。フィルム送り機構１００は、フィルムＦのＸ軸両側の端縁を挟み込んでフィルムＦをＺ軸方向に送る。シール機構２００は、シャフト２１１と、ヒータ２２１を含む加熱機構２２０と、圧着部２３１を含む圧着機構２３０と、ゴム２４１を含む引き剥がし機構２４０を備える。シャフト２１１と加熱機構２２０は、ベース１１に固定されている。圧着機構２３０と引き剥がし機構２４０は、摺動可能にシャフト２１１に支持されている。引き剥がし機構２４０は、ゴム２４１を備えている。ゴム２４１は、バネによってＹ軸方向に移動可能に支持されている。
【００３１】
図６（ａ）に示すように、排泄処理の初期状態において、フィルムＦは、Ｘ軸両側の端縁が２組のローラ１０１に挟まれている。フィルムＦの底は、ヒータ２２１周辺の高さの位置に位置付けられている。なお、フィルムＦの底は、初期セットアップ時または前回のシール動作時において、密着されている。この状態で、排泄物等がフィルムＦに収容される。
【００３２】
排泄後に作業者または使用者がスイッチ２１（図５参照）を介して排泄終了の指示を入力すると、モータ（図示せず）が所定ステップ数駆動され、２組のローラ１０１によりフィルムＦが下方向（Ｚ軸負方向）に送られる。これにより、図６（ｂ）に示す状態となる。その後、モータ（図示せず）が所定ステップ数駆動され、圧着機構２３０が離間位置からＹ軸正方向に送られる。これにより、フィルムＦは、圧着部２３１に押されてＹ軸正方向に寄せられる。さらに、圧着機構２３０がＹ軸正方向に送られると、圧着部２３１がフィルムＦを介して引き剥がし機構２４０のゴム２４１に当接し、バネ（図示せず）の反発力に抗して、引き剥がし機構２４０をＹ軸正方向に押す。さらに圧着部２３１がＹ軸正方向に送られると、図７（ａ）に示すように、圧着機構２３０が圧着位置に到達し、圧着部２３１とヒータ２２１が、フィルムＦを介して密着する。
【００３３】
この状態で、再度、モータ（図示せず）が所定ステップ数駆動され、フィルムＦが僅かに下方に送られる。これにより、図７（ｂ）に示すように、圧着部２３１とヒータ２２１の上側のフィルムＦが緩められる。その後、ヒータ２２１が駆動され、フィルムＦが溶融される。圧着部２３１にはＺ軸方向中央部にＸ軸方向に延びる突条が設けられている。この突条によってフィルムＦが切断される。フィルムＦは、突条の下側部分が溶着されて、排泄物等が収容されたフィルムＦの上部が密封される。また、フィルムＦは、突条の上側部分が溶着されて、次に排泄物等を収容するためのフィルムＦの下底が形成される。
【００３４】
フィルムＦの密封と切断が完了すると、圧着機構２３０がＹ軸負方向に戻される。これにより、圧着部２３１がヒータ２２１とゴム２４１から離れ、引き剥がし機構２４０が、バネ（図示せず）により所定幅だけＹ軸負方向に送られる。このとき、圧着部２３１とヒータ２２１により密着されたフィルムＦは、引き剥がし機構２４０により、ヒータ２２１の位置から所定幅だけＹ軸負側に寄せられる。これにより、ヒータ２２１にフィルムＦが貼り付いているような場合でも、フィルムＦがヒータ２２１から引き剥がされる。こうして、図８に示すように、密封されたフィルムＦは支持体３０の開口３０ｂ（図３参照）を通って落下する。密封されたフィルムＦが落下する位置に、密封されたフィルムＦを回収するための箱等を設置することにより、作業者は容易に密封されたフィルムＦを回収することができる。
【００３５】
ところで、便座装置１に対するフィルム保持体ＨとフィルムＦの装着は、使用者側で行われる。フィルムＦは消耗部材であるため、フィルムＦを使用し終えた後は、使用者側でフィルムＦの交換作業を行う必要がある。
【００３６】
図９は、フィルムＦを梱包した梱包体Ｂの外観を示す図である。フィルムＦの交換時に、使用者は、図９に示す梱包体Ｂを製造者から受け取る。図９では、梱包体Ｂから上蓋が取り除かれた状態が示されている。梱包体Ｂは、段ボールからなる直方体形状の外箱Ｂ１に、フィルムパックＦＰとジグＳ１を同梱して構成されている。
【００３７】
図１０、図１１は、フィルム保持体Ｈの装着過程を示す図である。
【００３８】
図１０に示すように、便座３５、カバー３６が取り外された状態で、メカ構成体１０のベース１１にフィルムパックＦＰが載置される。フィルムパックＦＰは、フィルムＦとフィルム保持体Ｈを保持する包装体Ｐを含むフィルム交換部材である。包装体Ｐは、フィルム保持体Ｈを保持する段ボール製の梱包部材である。包装体Ｐには、ローラ１０１（図６参照）の位置を示すマークＡが印刷されている。
【００３９】
こうして、フィルムパックＦＰが便座装置１に載置された状態で、梱包体Ｂに同梱されたジグＳ１を用いて、フィルムＦがローラ１０１に装着される。その後、包装体Ｐが上方向に引き抜かれる。これにより、図１１に示すように、包装体Ｐがフィルム保持体Ｈから取り外される。なお、包装体Ｐを取り外した後、ジグＳ１を用いてフィルムＦをローラ１０１に装着しても良い。あるいは、図４に示すように便座３５を装着した後に、ジグＳ１を用いてフィルムＦをローラ１０１に装着しても良い。フィルムＦの装着方法は、追って図１３〜図１５を参照して説明する。
【００４０】
包装体Ｐがフィルム保持体Ｈから取り外されると、図４に示すように、便座３５が再度設置されて、便座装置１が使用可能になる。
【００４１】
以下、ローラ１０１に対するフィルムＦの装着方法について説明する。
【００４２】
図１２は、便座装置１の構成を示す断面図である。なお、図１２は、便座装置１をＺ−Ｙ平面に平行な平面で切断した断面をＸ軸正側に向かって見た断面図である。
【００４３】
図１２に示すように、フィルム保持体Ｈをベース１１に載置した状態では、フィルムＦの端部は、ローラ１０１に挟まれていない。フィルムＦは、使用者側でローラ１０１の間に挟ませる必要がある。本実施の形態では、フィルムＦの装着時にジグＳ１が用いられる。
【００４４】
図１３（ａ）は、便座３５をＺ軸正側から見た上面図である。図１３（ｂ）は、ジグＳ１をＺ軸正側から見た上面図、図１３（ｃ）は、ジグＳ１をＸ軸負側から見た側面図である。なお、図１３（ａ）では、便宜上、フィルム保持体ＨとフィルムＦの図示が省略されている。
【００４５】
図１３（ａ）を参照して、案内部１１ｄは、開口１１ｂがＸ軸方向に広がるように、外側に凹んだ形状を有する。案内部１１ｄは、ベース１１の上面から上方向に延びる壁からなっている。案内部１１ｄによって、ローラ１０１のＺ軸正側が開放されている。ローラ１０１は、Ｘ軸正側に一対と、Ｘ軸負側に一対の合計４つ配されている。案内部１１ｄ間のＸ軸方向の距離Ｗ１は、Ｘ軸正側の一対のローラ１０１とＸ軸負側の一対のローラ１０１間のＸ軸方向の距離Ｗ２よりもやや大きい。また、案内部１１ｄのＹ軸方向の距離Ｄ１は、対となる２つのローラ１０１のＹ軸方向の距離Ｄ２よりもやや大きい。
【００４６】
図１３（ｂ）を参照して、ジグＳ１は、塩化ビニル製の棒状の部材である。図１３（ｃ）に示すように、ジグＳ１のＹ―Ｚ平面の断面は略円形状である。ジグＳ１のＸ軸方向の幅Ｗ３は、ローラ１０１間のＸ軸方向の距離Ｗ２よりもやや大きく、案内部１１ｄ間のＸ軸方向の距離Ｗ１よりもやや小さい。ジグＳ１のＹ軸方向の幅Ｄ３は、案内部１１ｄのＹ軸方向の距離Ｄ１よりもやや小さい。
【００４７】
図１４は、ローラ１０１にジグＳ１が載置された状態の便座装置１の要部を示す上面図である。図１５（ａ）、（ｂ）は、ローラ１０１にジグＳ１が載置された状態の便座装置１の要部を示す断面図である。なお、図１４では、便宜上、フィルムＦの図示が省略されている。図１５（ａ）、（ｂ）は、便座装置１をＺ−Ｙ平面に平行な平面で切断した断面をＸ軸正側に向かって見た断面図である。
【００４８】
フィルムＦをローラ１０１に装着する際には、図１４に示すように、案内部１１ｄの位置の開口１１ｂにジグＳ１が通される。こうして、ジグＳ１が２対のローラに橋架されるようにして、ローラ１０１直上のフィルムＦに載置される。このとき、案内部１１ｄによって、ジグＳ１が、Ｘ軸方向とＹ軸方向に位置決めされる。これにより、図１５（ａ）に示すように、ジグＳ１がローラ１０１に対してフィルムＦを介して接点Ｐ１、Ｐ２で点接触する。その後、図１５（ｂ）に示すように、ローラ１０１がフィルムＦを下方に送る方向に駆動される。フィルムＦは、ジグＳ１の重みにより、ローラ１０１との接触状態が継続される。これにより、フィルムＦとローラ１０１の間に摩擦力が発生し、フィルムＦの端縁が各組のローラ１０１の間に挟まれる。その後、さらにローラ１０１が駆動されることにより、フィルムＦが下方向（Ｚ軸負方向）に送られる。こうして、ローラ１０１に対するフィルムの装着が完了する。
【００４９】
＜実施の形態の効果＞
本実施の形態によれば、以下の効果が奏され得る。
【００５０】
図１５（ａ）に示すように、ジグＳ１がローラ１０１の上に載置されることにより、フィルムＦとローラ１０１の間に摩擦力が生じ、ローラ１０１によりフィルムＦを下方向に送るだけで、フィルムＦをローラ１０１に容易にセットすることができる。
【００５１】
また、図１４に示すように、ジグＳ１の両端によって、Ｘ軸正側の一対のローラ１０１とＸ軸負側の一対のローラ１０１にフィルムＦが押し当てられるため、単一の作業によって各組のローラにフィルムＦをセットすることができる。
【００５２】
また、フィルムＦは不透明であるため、図１１に示すようにフィルムＦが便座装置１に装着された状態では、使用者は、ローラ１０１を視認することができない。本実施の形態では、図１０に示すように、包装体Ｐに、ローラ１０１の位置を示すマークＡが印刷されているため、使用者はローラ１０１の位置を容易に把握することができる。また、マークＡの位置においてジグＳ１を下方に押し込むと、ジグＳ１が案内部１１ｄに案内される。よって、使用者は、ジグＳ１を容易にローラ１０１上に載置することができる。
【００５３】
また、案内部１１ｄによってジグＳ１の位置ずれが規制されるため、フィルムＦの取り付け時にローラ１０１を回転させても、ジグＳ１をローラ１０１の直上に安定的に位置付けることができる。これにより、フィルムＦを円滑にローラ１０１にセットすることができる。
【００５４】
また、図１５（ａ）、（ｂ）に示すように、ジグＳ１は、断面が略円形状であるため、ローラ１０１の駆動により、ジグＳ１が回転したとしても、ローラ１０１とジグＳ１の位置関係が変化しにくい。したがって、フィルムＦとローラ１０１との間に安定した摩擦力を生じさせることができ、円滑にフィルムＦを送ることができる。
【００５５】
また、フィルムＦの端部が密封されているため、ジグＳ１が落下したとしても、フィルムＦ内に収容されるため、ジグＳ１を拾いやすい。このため、さらにフィルムＦをセットする作業を容易に行うことができる。
【００５６】
＜変更例＞
上記実施の形態では、ジグＳ１は、断面が略円形状の棒状の部材であったが、他の形状であっても良い。たとえば、図１６（ａ）に示すように、断面が方形状の部材であっても良いし、図１６（ｂ）に示すように、断面が三角形状の部材であっても良い。ただし、ジグＳ２、Ｓ３の場合、ローラ１０１の回転により、ジグＳ２、Ｓ３がローラ１０１から離れる可能性がある。したがって、図１６（ｃ）、（ｄ）のジグＳ４、Ｓ５のように、ローラ１０１との接触面は、円弧状になっている方が望ましい。また、図１６（ｅ）に示すように、ジグＳ６が中洞形状であっても良い。
【００５７】
また、上記実施の形態では、図１３（ｂ）に示すように、ジグＳ１は、長い棒状の形状であったが、２対のローラ１０１に橋架可能な形状であれば、他の形状であっても良い。
【００５８】
また、上記実施の形態では、ジグＳ１が塩化ビニルにより形成されたが、ジグＳ１を形成する材料がこれに限らず、塩化ビニル以外の樹脂材料や、木材、金属、ゴム等により形成されても良い。ジグＳ１は、フィルムＦ１０１がローラ１０１に適度に押さえられつつ、フィルムＦがジグＳ１の表面を滑ってローラ１０１へと巻き込まれるのに適した材質および重さを有する必要がある。この観点から、ジグＳ１の材料や形状、構造が決定される。ジグＳ１は、必ずしも単一の材料からなっている必要はなく、たとえば、紙筒の周りにゴム膜を被せたものや、さらに、紙筒の内部に鉄芯を嵌め込んだもの等、種々の材料の組合せからなっていても良い。なお、コスト面や廃棄の容易性からは、上記実施の形態のように塩化ビニル製のジグＳ１を用いることが、一つの好ましい適用例となり得る。
【００５９】
また、ジグＳ１は、必ずしもフィルムを収容する梱包体Ｂに同梱されていなくても良く、たとえば、ユーザが便座装置１を受け取る際に便座装置１とともにジグＳ１を受け取る形態でも良い。ただし、この場合は、使用者がジグＳ１を紛失し、あるいは、フィルムＦの交換時にジグＳ１が見つからない場合に、フィルムＦの装着を円滑に進めることができなくなる。これに対し、実施の形態では、フィルムを収容する梱包体ＢにジグＳ１が同梱されているため、フィルムＦの装着を円滑に進めることができる。また、ジグＳ１は塩化ビニル製の棒状の部材であるため、梱包体Ｂに個別にジグＳ１を同梱しても、それほどコストが嵩むこともない。よって、本実施の形態のようなジグＳ１を梱包体Ｂに同梱することにより、コストの上昇を抑制しつつ、使用者の利便性を高めることができる。
【００６０】
また、上記実施の形態では、上枠Ｈ１の鍔部Ｈ１ｄと下枠Ｈ２の鍔部Ｈ２ｄとを合わされた状態で、上枠Ｈ１の鍔部Ｈ１ｄと下枠Ｈ２の鍔部Ｈ２ｄを熱溶着することにより、上枠Ｈ１と下枠Ｈ２が一体化された。これに代えて、たとえば、上枠Ｈ１と下枠Ｈ２に互いに嵌り合う凹部と凸部を設け、これら凹部と凸部の嵌め合いによって、上枠Ｈ１と下枠Ｈ２が一体化されても良い。
【００６１】
以上、本発明の実施の形態について説明したが、本発明は、上記実施の形態に何ら制限されるものではなく、本発明の構成例も他に種々の変更が可能である。
【００６２】
なお、上記実施の形態では、本発明が便座装置１に適用される形態が示されたが、便座装置のほか、たとえば、小動物等の死骸や生ごみ等の廃棄物をフィルムで密封するための装置に本発明が適用されても良い。また、フィルムパックＦＰの構成やフィルム保持体Ｈの構成も適宜変更可能である。さらに、フィルム保持体Ｈが便座装置１側に設けられ、折り畳まれたフィルムがこのフィルム保持体Ｈに装着される構成であっても良い。
【００６３】
この他、本発明の実施の形態は、特許請求の範囲に示された技術的思想の範囲内において、適宜、種々の変更が可能である。
【符号の説明】
【００６４】
１  …  便座装置（フィルム密封装置）
Ｂ  …  フィルム梱包体
Ｆ  …  フィルム
ＦＰ  …  フィルムパック
Ｓ１  …  ジグ（押圧部材）
１０  …  メカ構成体（フィルム送り部）
１１  …  ベース
１１ｂ  …  開口
１１ｄ  …  案内部
１０１  …  ローラ
【図１】
2016185818.tif 000003
【図２】
2016185818.tif 000004
【図３】
2016185818.tif 000005
【図４】
2016185818.tif 000006
【図５】
2016185818.tif 000007
【図６】
2016185818.tif 000008
【図７】
2016185818.tif 000009
【図８】
2016185818.tif 000010
【図９】
2016185818.tif 000011
【図１０】
2016185818.tif 000012
【図１１】
2016185818.tif 000013
【図１２】
2016185818.tif 000014
【図１３】
2016185818.tif 000015
【図１４】
2016185818.tif 000016
【図１５】
2016185818.tif 000017
【図１６】
2016185818.tif 000018